(57)【要約】【課題】良好なクランプ性能を有したカテーテル用クランプ部材を提供すること。【解決手段】本発明によるカテーテル用クランプ部材（１）は、ボディ部（５）と、クランプ手段（３）と、を具備してなり、ボディ部が、患者の皮膚から導出されたカテーテル（２）を受領するための第１位置決め部（１１）と、円弧に沿ってカテーテルを曲げる第２位置決め部（１２）と、カテーテルをクランプ部材から導出するよう案内する第３位置決め部（１３）と、を備え、第３位置決め部が、カテーテルを支持する底壁（１４，１５，１６）と、カテーテルの両側方に位置する側壁と、を有し、側壁どうしの間隔が、カテーテルに対して密接的に係合する密接係合通路を形成し得るよう、カテーテルの外径に実質的に等しいものとされ、クランプ状態においては、クランプ手段が、密接係合通路内において前記カテーテルの横断面形状を変形させ得るものとされている。【選択図】図１
2010115545.tif 000002
【特許請求の範囲】
【請求項１】
カテーテル用クランプ部材であって、
ボディ部（５）と、クランプ手段（３）と、を具備してなり、
前記ボディ部が、通路を規定するカテーテル位置決め手段を備え、
このカテーテル位置決め手段が、
患者の皮膚から導出されたカテーテル（２）を受領するための第１位置決め部（１１）と、
円弧に沿って前記カテーテルを曲げる第２位置決め部（１２）と、
前記カテーテルを前記クランプ部材から導出するよう案内する第３位置決め部（１３）と、
を備え、
前記第１位置決め部と前記第２位置決め部と前記第３位置決め部との各々が、前記通路に沿ってそれぞれ対応する互いに異なる長手方向部分に配置され、
使用時には、前記クランプ手段を、手動で操作することが可能とされ、これにより、前記カテーテルのうちの、前記第３位置決め部によって位置決めされている部分と、前記カテーテルのうちの、前記第２位置決め部によって位置決めされている部分と、の少なくとも一方の部分を前記クランプ手段がクランプしているクランプ状態へと、移行可能であるように構成され、
このようなカテーテル用クランプ部材において、
前記第３位置決め部が、前記カテーテルを支持する底壁（１４，１５，１６）と、前記カテーテルの両側方に位置する側壁と、を有し、
前記側壁どうしの間隔が、前記カテーテルに対して密接的に係合する密接係合通路を形成し得るよう、前記カテーテルの外径に実質的に等しいものとされ、
前記クランプ状態においては、前記クランプ手段が、前記密接係合通路内において前記カテーテルの横断面形状を変形させ得るものとされていることを特徴とするカテーテル用クランプ部材。
【請求項２】
請求項１記載のカテーテル用クランプ部材であって、
前記第２位置決め部（１２）が、密接的に係合する通路を形成し得るよう、前記カテーテルの両側方に位置する側壁を有していることを特徴とするカテーテル用クランプ部材。
【請求項３】
請求項１または２記載のカテーテル用クランプ部材であって、
前記クランプ手段（３）が、ヒンジ（９５，９６）と、アーム（８１，８２，８４）と、を備え、
前記ヒンジが、前記アームを前記ボディ部（５）に回転可能に取り付けていることを特徴とするカテーテル用クランプ部材。
【請求項４】
請求項３記載のカテーテル用クランプ部材であって、
前記アームが、前記アームをクランプ状態に保持し得るよう構成されたアーム保持手段を有し、
このアーム保持手段が、前記アーム上と前記ボディ部上とに設けられた協働部材（５９，６０，６１，６２）を有していることを特徴とするカテーテル用クランプ部材。
【請求項５】
請求項４記載のカテーテル用クランプ部材であって、
前記ヒンジ（９５，９６）と前記アーム保持手段（５９，６０，６１，６２）とが、前記アーム（３）の実質的に直径方向に設けられていることを特徴とするカテーテル用クランプ部材。
【請求項６】
請求項１記載のカテーテル用クランプ部材であって、
前記クランプ手段が、クランプ面（１１５）を備え、
このクランプ面が、前記第３位置決め部（１３）の長手方向断面形状と実質的に同じ長手方向断面形状を有していることを特徴とするカテーテル用クランプ部材。
【請求項７】
請求項１記載のカテーテル用クランプ部材であって、
前記クランプ状態においては、前記クランプ手段（３）が、挿入部位が位置している領域を少なくとも部分的に被覆していることを特徴とするカテーテル用クランプ部材。
【請求項８】
請求項１記載のカテーテル用クランプ部材であって、
前記クランプ状態においては、前記クランプ手段（３）の相補的インターフェース表面（９１）と、前記ボディ部（５）の相補的インターフェース表面（２６）とが、互いに当接し、これにより、挿入部位に対してのバリアを形成しており、これにより、バクテリアの侵入を実質的に防止していることを特徴とするカテーテル用クランプ部材。
【請求項９】
請求項８記載のカテーテル用クランプ部材であって、
前記クランプ手段（３）が、前記インターフェース表面（９１）に形状部材（９２）を有し、
この形状部材が、前記カテーテル用クランプ部材からの前記カテーテルの導出を部分的に可能としていることを特徴とするカテーテル用クランプ部材。
【請求項１０】
請求項１〜９のいずれか１項に記載のカテーテル用クランプ部材であって、
前記第３位置決め部（１３）が、この第３位置決め部の長手方向軸に対して実質的に平行な方向における前記カテーテルの移動を少なくとも実質的に制限するカテーテル把持手段（１６）を有していることを特徴とするカテーテル用クランプ部材。
【請求項１１】
請求項１０記載のカテーテル用クランプ部材であって、
前記カテーテル把持手段が、リブ（１６）を有し、
このリブが、前記第３位置決め部（１３）の長手方向軸に対して実質的に直交して延出されていることを特徴とするカテーテル用クランプ部材。
【請求項１２】
請求項１１記載のカテーテル用クランプ部材であって、
前記リブ（１６）が、複数個設けられていることを特徴とするカテーテル用クランプ部材。
【請求項１３】
請求項１記載のカテーテル用クランプ部材であって、
前記ボディ部（５）が、挿入部位の近傍領域の視覚的確認を可能とする可視手段（２５）を備えていることを特徴とするカテーテル用クランプ部材。
【請求項１４】
請求項１３記載のカテーテル用クランプ部材であって、
前記可視手段（２５）が、少なくとも１つの開口によって形成されていることを特徴とするカテーテル用クランプ部材。
【発明の詳細な説明】
【技術分野】
【０００１】
本発明は、挿入部位において患者の皮膚に対してカテーテルを取り付けるためのカテーテル用クランプ部材に関するものである。
【背景技術】
【０００２】
カテーテルは、例えば、硬膜外麻酔や腰椎麻酔や神経麻酔等の麻酔薬の連続的なまたは繰返し的な投与のために、あるいは、中間介在供給ラインや胸部ドレイン等を設置するために、要求された場所において、患者内へと挿入することができる。
【０００３】
カテーテルは、典型的には、小径のフレキシブルチューブである。そのため、保持することが難しく、患者から容易に抜け出したり端部が位置ズレを起こしたりし、それにより、麻酔の投与に際して使用された際には、苦痛の制御ができない。また、カテーテルの曲がりのために、麻酔薬が、カテーテルの外部へと逆流しかねない。
【先行技術文献】
【特許文献】
【０００４】
【特許文献１】特表２００１−５２２６６４号公報
【特許文献２】特開２０００−１５７６３６号公報
【発明の概要】
【発明が解決しようとする課題】
【０００５】
上記欠点を克服することを目的としたカテーテル用クランプ部材は、公知である。いくつかの公知のクランプ部材は、良好なクランプ性能をもたらすものではあるけれども、それでもなお、現時点では、カテーテル用クランプ部材を改良することが要望されている。
【課題を解決するための手段】
【０００６】
本発明は、改良されたカテーテル用クランプ部材を提供することを追求せんとするものである。
【０００７】
本発明の第１見地においては、カテーテル用クランプ部材であって、ボディ部と、クランプ手段と、を具備してなり、ボディ部が、カテーテル位置決め手段を備え、このカテーテル位置決め手段が、患者の皮膚から導出されたカテーテルを受領するための第１位置決め部と、円弧に沿ってカテーテルを曲げる第２位置決め部と、カテーテルをクランプ部材から導出するよう案内する第３位置決め部と、を備え、第３位置決め部が、密接的に係合する通路を形成し得るよう、カテーテルの両側方に位置する側壁を有し、使用時には、クランプ手段を、手動で操作することが可能とされ、カテーテルのうちの、第３位置決め部によって位置決めされている部分と、カテーテルのうちの、第２位置決め部によって位置決めされている部分と、の少なくとも一方の部分をクランプ手段がクランプしているクランプ状態へと、移行可能であるように構成されているカテーテル用クランプ部材が提供される。
【０００８】
本発明の好ましい実施形態においては、クランプ手段が、カテーテルのうちの、クランプ部材からカテーテルを導出するよう案内するチャネルによって位置決めされている部分に対して係合し得るよう構成されていることにより、有利には、患者の皮膚上において、カテーテル用クランプ部材の外形形状を低いものとすることができる。このような低い外形形状は、その場にクランプ部材が存在することの不快感を軽減する。
【０００９】
好ましくは、クランプ手段は、ヒンジと、アームと、を備え、ヒンジは、アームをボディ部に回転可能に取り付けている。
【００１０】
好ましくは、アームは、アームをクランプ状態に保持し得るよう構成されたアーム保持手段を有し、このアーム保持手段は、アーム上とボディ部上とに設けられた協働部材を有している。
【００１１】
より好ましくは、ヒンジとアームとは、クランプ手段の実質的に直径方向に設けられている。
【００１２】
クランプ手段は、好ましくは、クランプ面を備え、このクランプ面は、第３位置決め部の長手方向断面形状と実質的に同じ長手方向断面形状を有している。
【００１３】
クランプ状態においては、クランプ手段は、望ましくは、挿入部位が位置している領域を少なくとも部分的に被覆している。
【００１４】
好ましくは、クランプ状態においては、クランプ手段の相補的インターフェース表面と、ボディ部の相補的インターフェース表面とは、互いに当接し、これにより、挿入部位に対してのバリアを形成しており、このことが、バクテリアの侵入を実質的に防止している。
【００１５】
有利には、クランプ手段がそのようなバリアをもたらしていることにより、包帯を付加する必要性が不要とされ、それに伴うコストも不要とされる。
【００１６】
好ましい実施形態においては、クランプ手段は、キャップを備え、このキャップには、実質的に透明な部分が設けられる。この透明な部分を通して、挿入部位を見ることができるようになっている。これに対し、従来技術によるクランプ部材の場合における包帯の付加であると、挿入部位を明瞭に見ることができない。包帯の付加に関するさらなる欠点は、挿入部位へのアクセスのたびごとにクランプ部材を取り外すこととなってしまい、潜在的に問題があるとともに、面倒であることである。
【００１７】
クランプ手段は、好ましくは、インターフェース表面に形状部材を有し、この形状部材は、カテーテル用クランプ部材からのカテーテルの導出を部分的に可能とする。好ましい実施形態においては、この形状部材は、密接な係合構成をもたらす。
【００１８】
第３位置決め部は、好ましくは、この第３位置決め部の長手方向軸に対して実質的に平行な方向におけるカテーテルの移動を少なくとも実質的に制限するカテーテル把持手段を有している。
【００１９】
カテーテル把持手段は、好ましくは、リブを有し、このリブは、第３位置決め部の長手方向軸に対して実質的に直交して延出されている。最も好ましくは、リブは、複数個設けられている。
【００２０】
ボディ部は、好ましくは、挿入部位の近傍領域の視覚的確認を可能とする可視手段を備えている。可視手段は、少なくとも１つの開口によって形成されている。
【図面の簡単な説明】
【００２１】
【図１】Ａ−Ａ線に沿ってカテーテル用クランプ部材を示す断面図であって、クランプ状態を示している。
【図２】図１のカテーテル用クランプ部材におけるボディ部を示す平面図であって、明瞭化のために、クランプ部材のキャップの図示と、カテーテルの図示と、取付パッドの図示と、が省略されている。
【図３】閉塞状態において図１および図２のクランプ部材を示す平面図であって、明瞭化のために、カテーテルの図示と、取付パッドの図示と、が省略されている。
【図４】クランプ状態におけるクランプ部材を、図３におけるＢ−Ｂ線に沿って示す断面図である。
【図５】クランプ状態におけるクランプ部材を、図３におけるＣ−Ｃ線に沿って示す断面図である。
【図６】Ｅ−Ｅ線に沿って位置決めチャネルを拡大して示す断面図である。
【図７】Ｆ−Ｆ線に沿ってクランプ部材のボディ部を示す断面図であって、明瞭化のために、取付パッドの図示が省略されている。
【図８】Ｄ−Ｄ線に沿ってクランプ部材のボディ部の一部を示す断面図であって、明瞭化のために、取付パッドの図示が省略されている。
【図９】図１のクランプ部材と同様のクランプ部材を示す断面図であって、クランプ部材は、９０°以外の角度で患者の皮膚から導出されたカテーテルを受領し得るよう構成されている。
【図１０】図１のカテーテル用クランプ部材を、クランプ状態でもって示す斜視図であって、明瞭化のために、カテーテルの図示が省略されている。
【図１１】図１のカテーテル用クランプ部材を、開放状態でもって示す斜視図であって、明瞭化のために、カテーテルの図示が省略されている。
【発明を実施するための形態】
【００２２】
以下、添付図面を参照しつつ、本発明を何ら限定するものではなく単なる例示としての本発明の実施形態について、説明する。
【００２３】
まず最初に、図１は、カテーテル用クランプ部材（１）を示している。このカテーテル用クランプ部材（１）は、ボディ部（５）と、アーム形状のキャップ（３）と、を備えている。キャップ（３）は、ボディ部に対して回転可能に取り付けられている。クランプ部材（１）の構成は、図１に示すようなクランプ状態においては、キャップ（３）がカテーテル（２）に対して作用することによって、キャップとボディ部との間にカテーテルをクランプし得るようなものとされている。
【００２４】
ボディ部（５）は、取付パッド（７）に対して接着されている。取付パッド（７）は、閉塞セルを有した弾性発泡体材料から形成されている。取付パッド（７）には、開口（１０）が形成されている。開口（１０）は、ボディ部（５）の実質的に中央に位置している。
【００２５】
ボディ部（５）は、通路の形態とされた位置決め手段を備えている。この位置決め手段は、第１位置決め部（１１）と、第２位置決め部（１２）と、第３位置決め部（１３）と、を有している。半円形状の鉛直方向壁（１１）が、第１位置決め部を形成している。
【００２６】
第２位置決め部は、湾曲エッジ部（１２）によって形成されている。この湾曲エッジ部（１２）の表面は、実質的に鉛直方向を向いた向きから、実質的に水平方向を向いた向きまでにわたって、延在している。
【００２７】
第３位置決め部（１３）は、傾斜チャネル部（１４）と、実質的に水平方向を向いたチャネル部（１５）と、を有している。
【００２８】
傾斜チャネル部（１４）は、互いに等間隔で配置された３つのリブ（１６）を有している。これらリブ（１６）は、傾斜チャネル部（１４）の長手方向軸に対して実質的に直交して延在している。
【００２９】
第１位置決め部（１１）と、第２位置決め部（１２）と、第３位置決め部（１３）の傾斜チャネル部（１４）とは、ブリッジ部（２４）内に形成されている。ブリッジ部（２４）は、径方向内表面（２７）によって規定された円形空間内において、直径方向に延在している（図２に明瞭に図示されている）。
【００３０】
図１に示すように、ブリッジ部（２４）は、フラットな２つの上面（３０）と、傾斜表面（３１）と、傾斜チャネル部（１４）の側方に位置した２つの傾斜表面（３２）と、を有している。径方向内表面（２７）とブリッジ部（２４）とは、ブリッジ部の両サイドに位置した実質的にＤ字形状をなす開口を形成している。
【００３１】
図２に明瞭に示すように、径方向内表面（２７）に隣接してかつ直交して、上向きの、部分的に環状をなす、インターフェース表面（２６）が形成されている。
【００３２】
インターフェース表面（２６）に隣接してかつ直立状態でもって、テーパー状をなす２つの側壁（３５，３６）が設置されている。これら側壁（３５，３６）は、インターフェース表面（２６）の両サイドに位置しているとともに、ボディ部の長さ全体にわたって延在している。各側壁は、２つの直線状部分と、これら直線状部分の間に介在した中央円弧部分と、を有している。
【００３３】
水平方向チャネル部（１５）は、円弧形状をなすテーパー状前壁（４０）内の凹所によって、形成されている。この凹所は、傾斜チャネル部（１４）と位置合わせされている。
【００３４】
水平方向チャネル部（１５）は、インターフェース表面（２６）内に形成された凹所によって形成されており、傾斜チャネル部（１４）と位置合わせされている。傾斜前壁（４０）は、水平方向チャネル部（１５）に対して位置合わせされた凹所（４１）を有して形成されている。
【００３５】
前壁（４０）は、上面（４２）を有している。この上面（４２）の高さ位置は、インターフェース表面（２６）の鉛直方向高さ位置よりも上に位置しており、かつ、側壁（３５，３６）の鉛直方向高さ位置よりも下に位置している。
【００３６】
ボディ部（５）は、さらに、円弧形状をなすテーパー状後壁（４５）を有している。この後壁（４５）は、インターフェース表面（２６）に対して隣接して配置されている。後壁（４５）は、上面（４６）を有している。この上面（４６）は、実質的に環状形状の一部を形成しているとともに、インターフェース表面（２６）と同心的なものとされている。
【００３７】
各側壁（３５，３６）の側方には、それぞれ、ヒンジグルーブ（５０，５１）が形成されている。これらヒンジグルーブ（５０，５１）は、それぞれ、ヒンジ部（５２，５３）に対して取り付けられている。
【００３８】
側壁（３５，３６）のうちの、ボディ部（５）の前端を向いた部分（３８，３９）には、それぞれの内面上に、下向きにテーパー形状をなす凹所（５５，５６）（図４）が形成されている。部分（３８，３９）の下面には、下向きフランジ部（６１，６２）（図４）が形成されている。側壁部分（３８，３９）の基端側部分には、２つの取付凹所（５７，５８）が、配置されている。これら取付凹所（５７，５８）は、ボディ部のベース部を貫通しているとともに、側壁部分内に凹部を形成している。
【００３９】
特に図１，３，４に示すように、キャップ（３）は、全体的に円形とされた中央部（８４）と、この中央部（８４）の両側に位置する２つのリム（８１，８２）と、を備えている。これらリム（８１，８２）は、中央部（８４）に対して実質的に径方向に位置している。
【００４０】
中央部（８４）は、実質的に円錐台形状とされており、上面（８５）と、この上面の周囲に位置した部分的円錐面（８６）と、を有している。
【００４１】
キャップ（３）の下面には、部分的環状形状をなす、下向き（図１の状態で見た場合に）に延在する当接部（９０）が設けられている。
【００４２】
当接部（９０）は、最低位置をなすインターフェース表面（９１）を有している。インターフェース表面（９１）内には、実質的に半円形状の凹所（９２）が形成されている。
【００４３】
前方リム（８２）は、互いに離間して配置された２つの垂下部分（１１２，１１３）を有している。各垂下部分（１１２，１１３）には、それぞれ、クリップ（５９，６０）が設けられている。前方リム（８２）の上面は、実質的にＶ字形状をなす２つのグルーブ（８０）を有している。
【００４４】
クランプ部材の後方に位置したリム（８１）は、キャップ（３）に対して一体化されているとともに丸い先端部（９５，９６）を有した回転軸を介して、ボディ部に対してヒンジ連結されている。回転軸の各先端部（９５，９６）は、それぞれ対応するスロット内に配置されている。各スロットは、それぞれ対応する側壁内に形成されている。回転軸先端部（９６）を受領するスロット（９８）が、図８に示されている。各スロットの鉛直方向上方には、テーパー状凹所（１００）が設けられている。テーパー状凹所（１００）は、３つの傾斜面（１０１，１０２，１０３）によって規定されている。
【００４５】
側壁（３５，３６）の後方部（４３，４４）の間にわたって、ボディ部（５）は、ベース部（１０３）を有している。このベース部（１０３）に直交して、壁（１１０）が直立している。
【００４６】
図１に明瞭に示すように、回転軸先端部（９５，９６）間に位置する部分は、丸い外表面部（１０５）を有している。丸い外表面部（１０５）には、エッジ突出部（１０６）が連接されている。エッジ突出部（１０６）は、実質的にフラットな表面部（１０７）に対して連接している。
【００４７】
次に、カテーテル用クランプ部材（１）の動作について説明する。クランプ部材は、まず最初に、回転軸先端部（９５，９６）を各凹所（１００）上に位置合わせすることによって、組み立てる。その後、回転軸先端部（９５，９６）を各凹所（１００）内に嵌め込む。これにより、回転軸先端部がわずかに押圧され、これにより、壁部（４３，４４）が瞬時的に偏向され、これにより、回転軸先端部が、それぞれ対応するスロット内へと案内される。
【００４８】
この時点で、キャップ（３）は、このキャップがボディ部（５）に対して実質的に直交した開放状態をなすことができる。このような開放状態においては、フラットな表面部（１０７）が、ベース部（１０３）上に載置される。壁（１１０）は、係止手段として機能し、これにより、キャップが直交状態を超えてさらに後方側へと回転することを、防止することができる。
【００４９】
カテーテルは、部分的円形壁（１１）と部分的円錐台表面（２０）とを介することによって、ボディ部（５）の下面を通して供給される。最終的には、カテーテル用クランプ部材を、カテーテルの挿入部位（図示せず）の上方位置へと配置することができる。部分的円錐台表面（２０）は、初期的クランプ位置決めステップを容易なものとする。
【００５０】
リリースペーパーを剥離させることによって、発泡体パッド（７）の下面の接着剤を露出させ、この接着剤を患者の皮膚に接触させることで、クランプ部材を所定に保持することができる。
【００５１】
その後、カテーテルの適切な部分を、カテーテルに対しての密着係合通路をもたらし得るような寸法とされたチャネル部（１４，１５）内へと、嵌め込む。これにより、カテーテルは、図１に示すようにして位置決めされる。
【００５２】
両開口（２５）により、挿入部位の位置を、視覚的に確認することができ、これにより、挿入部位に対してのクランプ部材の正確な位置決めを確保することができる。
【００５３】
その後、キャップ（３）を、全体的に下向きに回転させ、これにより、クリップ（５９，６０）を、それぞれ対応するテーパー状凹所（５５，５６）に対して、初期的に当接させる。キャップ（３）を開放状態から閉塞状態へと回転させるには、エッジ突出部（１０６）を、ベース部（１０３）に対して係合させ、これにより、ベースを撓ませる。これにより、キャップを閉塞状態とするのに必要な押圧力を得る。キャップ（３）をさらに押圧することによって、垂下部分（１１２，１１３）を押圧し、これにより、側壁部分（３８，３９）のフランジ部（６１，６２）に係合する位置にまで、スナップ嵌入する。この時点で、キャップ（３）が、図１に示すようなクランプ状態とされる。
【００５４】
クランプ状態においては、キャップ（３）の下面の一部（１１５）が、カテーテル（２）のうちの、チャネル部（１４，１５）によって位置決めされた部分に対して係合する。これにより、カテーテルを、両チャネル部内へと付勢することができる。図１から明らかなように、表面（１１５）の長手方向断面形状は、両チャネル部（１４，１５）の長手方向断面形状と実質的に同じものとされている。複数のリブ（１６）が作用することにより、両チャネル部の長手方向軸に対して実質的に平行な方向におけるカテーテルの位置ズレを、実質的に阻止することができる。
【００５５】
クランプ状態においては、キャップ（３）のインターフェース表面（９１）が、ボディ部（５）のインターフェース表面（２６）に対して当接する。これにより、バクテリアの侵入を実質的に防止し得るバリアが形成される。
【００５６】
このようなバリアは、リム（１８，８２）の歪みエネルギーの作用によって、インターフェース表面（２６，９１）どうしが互いに十分に押圧されることにより、得られる。この歪みエネルギーは、一方においては、後方側壁（４４，４５）に対して当接している回転軸先端部（９５，９６）間の協働作用により、他方においては、表面（６１，６２）に対して当接しているクリップ（５９，６０）間の協働作用により、もたらされる。
【００５７】
当接部（９０）の凹所（９２）とチャネル部（１５）とは、密接係合孔のためにカテーテルの対応部分の周縁部に対して緊密な把持力をもたらすとともに、バクテリアの侵入を防止する。
【００５８】
ヒンジ部（５２，５３）は、不規則表面上にクランプ部材（１）を配置することを可能とする。このため、ヒンジ部（５２，５３）は、患者の身体の外形形状に対してより緊密に追従するような形状をなすことができる。
【００５９】
上述した実施形態においては、キャップ（３）が、カテーテルのうちの、傾斜チャネル部（１４）によって位置決めされた部分をクランプしているけれども、本発明の代替可能な実施形態においては、キャップ（３）は、カテーテルのうちの、湾曲エッジ部（１２）によって位置決めされた部分に対してのクランプ作用を、追加的にあるいは代替的にもたらすような表面を有することができる。
【００６０】
図９は、代替可能な実施形態を示しており、この実施形態は、クランプ部材（１）と実質的に同じであるけれども、第１位置決め部が、傾斜面（１２０）によって形成されている。この実施形態は、有利には、鋭角でもって患者の皮膚から導出されたカテーテルをクランプすることができる。
【符号の説明】
【００６１】
１  カテーテル用クランプ部材
２  カテーテル
３  キャップ（クランプ手段）
５  ボディ部
１１  鉛直方向壁（第１位置決め部）
１２  湾曲エッジ部（第２位置決め部）
１３  第３位置決め部
１４  傾斜チャネル部（第３位置決め部）
１５  水平方向チャネル部（第３位置決め部）
１６  リブ（カテーテル把持手段）
２５  開口（可視手段）
２６  インターフェース表面
５９  クリップ（協働部材、アーム保持手段）
６０  クリップ（協働部材、アーム保持手段）
６１  下向きフランジ部（協働部材、アーム保持手段）
６２  下向きフランジ部（協働部材、アーム保持手段）
８１  リム（アーム）
８２  リム（アーム）
８４  中央部（アーム）
９１  インターフェース表面
９２  凹所（形状部材）
９５  回転軸先端部（ヒンジ）
９６  回転軸先端部（ヒンジ）
１１５  クランプ面
【図１】
2010115545.tif 000003
【図２】
2010115545.tif 000004
【図３】
2010115545.tif 000005
【図４】
2010115545.tif 000006
【図５】
2010115545.tif 000007
【図６】
2010115545.tif 000008
【図７】
2010115545.tif 000009
【図８】
2010115545.tif 000010
【図９】
2010115545.tif 000011
【図１０】
2010115545.tif 000012
【図１１】
2010115545.tif 000013